(57)【要約】【課題】  香水噴射装置が備えられた携帯電話を提供する。【解決手段】  通常の携帯電話の機能を実行し、香水を噴射できる香水噴射装置を備えた携帯電話において、香水噴射装置は、内部に少なくとも一つの香水が収容されている香水保存部と、香水保存部から流入される香水が保存されるチャンバ、チャンバの内部の香水を噴射させる圧力を提供する噴射圧発生部、及び香水が外部に噴射される通路であるノズルを備える香水噴射部と、を備えることを特徴とする携帯電話である。【選択図】  図３
2006094506.tif 000002
【特許請求の範囲】
【請求項１】
通常の携帯電話の機能を実行し、香水を噴射できる香水噴射装置を備えた携帯電話において、
前記香水噴射装置は、
内部に少なくとも一つの香水が収容されている香水保存部と、
前記香水保存部から流入される香水が保存されるチャンバ、前記チャンバの内部の香水を噴射させる圧力を提供する噴射圧発生部、及び前記香水が外部に噴射される通路であるノズルを備える香水噴射部と、を備えることを特徴とする携帯電話。
【請求項２】
前記噴射圧発生部は、前記チャンバの内部に含まれている香水を加熱させて、前記香水の内部にバブルを形成するヒータであることを特徴とする請求項１に記載の携帯電話。
【請求項３】
前記噴射圧発生部は、前記チャンバの内部に含まれている香水に圧力を加える圧電素子部であることを特徴とする請求項１に記載の携帯電話。
【請求項４】
前記噴射圧発生部は、超音波により発生する振動を前記チャンバの内部に含まれている香水に加えて、前記香水を粒子状にする超音波加振部であることを特徴とする請求項１に記載の携帯電話。
【請求項５】
前記香水保存部及び前記香水噴射部は、交換が容易な一体のカートリッジであることを特徴とする請求項１に記載の携帯電話。
【請求項６】
前記香水保存部は、交換が容易なカートリッジであることを特徴とする請求項１に記載の携帯電話。
【請求項７】
前記香水噴射部は、シリコンウェーハで製作されることを特徴とする請求項１に記載の携帯電話。
【請求項８】
前記香水噴射部は、前記香水保存部に収容されている香水の種類に対応する個数で備えられることを特徴とする請求項１に記載の携帯電話。
【請求項９】
前記香水噴射部で香水を噴射させる作動信号を送出するドライバーを備えることを特徴とする請求項１に記載の携帯電話。
【請求項１０】
前記ドライバーは、前記香水噴射部と電気的接点で連結されることを特徴とする請求項９に記載の携帯電話。
【請求項１１】
前記ドライバーは、前記噴射圧発生部と電気的接点で連結されることを特徴とする請求項９に記載の携帯電話。
【請求項１２】
前記ドライバー及び前記香水噴射部は、相互に分離が可能であることを特徴とする請求項９に記載の携帯電話。
【請求項１３】
前記香水の噴射を調節する制御部を備えることを特徴とする請求項１に記載の携帯電話。
【請求項１４】
前記制御部は、通話ボタンまたは特定のボタンが押される場合、香水噴射の制御信号を前記香水噴射部へ伝送することを特徴とする請求項１３に記載の携帯電話。
【請求項１５】
前記制御部は、前記携帯電話が受信通話中である状態の場合、香水噴射の制御信号を前記香水噴射部へ伝送することを特徴とする請求項１３に記載の携帯電話。
【請求項１６】
前記制御部は、前記携帯電話ユーザーの音量の増減によって噴射される香水の種類または量を変更する制御信号を前記香水噴射部へ伝送することを特徴とする請求項１３に記載の携帯電話。
【請求項１７】
前記制御部は、前記携帯電話上の通話相手によって異なる香水を噴射させる制御信号を前記香水噴射部へ伝送することを特徴とする請求項１３に記載の携帯電話。
【請求項１８】
前記制御部は、前記携帯電話のユーザーにカスタマイジングされた適した香水を噴射するために、前記香水の噴射量及び種類を制御する制御信号を前記香水噴射部へ伝送することを特徴とする請求項１３に記載の携帯電話。
【請求項１９】
前記制御部は、前記携帯電話のユーザー周辺のノイズによって香水の種類または噴射量を制御する制御信号を前記香水噴射部へ伝送することを特徴とする請求項１３に記載の携帯電話。
【発明の詳細な説明】
【技術分野】
【０００１】
本発明は、携帯電話に係り、特に香水噴射装置が備えられた携帯電話に関する。
【背景技術】
【０００２】
一般的に、携帯電話は、手に持つか、またはかばんやポケットに入れることが可能な小さくて軽い移動通信電話をいい、これは、自動車電話をさらに発展させたものであって、各地域内の基地局と無線で交信する。このような携帯電話は、電話番号を検索するスキャニング機能をはじめとして、総通話時間表示・自己故障点検・通話中記憶装置・留守中受信表示・受信拒否・通話中警報音発生・自動反復ダイヤル・自己電話番号表示・パスワードによるロック・自動送信機能など各種機能を備えている。
【０００３】
従来の携帯電話には、消費者の多様な要求を満足するために、香水を噴射できる香水噴射装置が備えられることもあった。従来、香水噴射装置は、加圧噴射方式、蒸発方式、スプレー方式または加熱による気化などの方式で香水を外部に噴射する構造をなす。
従来の香水噴射装置が備えられた携帯電話は、特許文献１にその構成及び作動が例示されたことがあるので、ここでは構成及び作動についての詳細な説明は省略する。前記香水噴射装置は、加圧により香水保存部に保存された香水を携帯電話の外部に噴射する加圧噴射方式で作動されている。
【０００４】
しかし、従来の香水噴射装置は、噴射される香水量の微細な制御が困難であるので、ユーザーに不快感を与え、噴射される香水の粒子サイズが不均一になるので、前記香水粒子が携帯電話またはユーザーの衣服などに着いて汚れるおそれがある。
そして、従来の香水噴射装置の香水噴射方式は、開閉機構が備えられねばならないので、香水噴射装置のサイズが増加するだけでなく、香水噴射の駆動メカニズムが複雑になり、小型軽量化を図る携帯電話に装着し難い。
また、従来の香水噴射装置は、多様な香水を噴射させるためには、複数個の香水噴射装置を備えねばならないので、必然的に香水噴射部分のサイズが増大して携帯電話には適用し難いため、多様な香水を噴射できるメカニズムを構成し難い。
【特許文献１】韓国特許出願公開第２００１−００２８０４３号公報
【発明の開示】
【発明が解決しようとする課題】
【０００５】
本発明の目的は、前記のような問題点を解決するためのものであって、噴射される香水量の微細な制御が可能であり、噴射される香水の粒子サイズが均一になる香水噴射装置が備えられた携帯電話を提供するところにある。
本発明の他の目的は、別途の開閉機構なしに香水の噴射が可能であり、香水噴射の駆動メカニズムを簡単にする香水噴射装置が備えられた携帯電話を提供するところにある。
本発明のさらに他の目的は、香水噴射部分を小型化させつつ、多様な香水を噴射できる香水噴射装置が備えられた携帯電話を提供するところにある。
【課題を解決するための手段】
【０００６】
前記の目的を達成するための本発明による香水噴射装置が備えられた携帯電話は、通常の携帯電話の機能を実行し、香水を噴射できる香水噴射装置を備えるものであって、前記香水噴射装置は、内部に少なくとも一つの香水が収容されている香水保存部と、前記香水保存部から流入される香水が保存されるチャンバ、前記チャンバの内部の香水を噴射させる圧力を提供する噴射圧発生部、及び前記香水が外部に噴射される通路であるノズルを備える香水噴射部と、を備える。
【０００７】
前記噴射圧発生部は、前記チャンバの内部に含まれている香水を加熱させて、前記香水の内部にバブルを形成するヒータ、前記チャンバの内部に含まれている香水に圧力を加える圧電素子部、または超音波により発生する振動を前記チャンバの内部に含まれている香水に加えて前記香水を粒子状にする超音波加振部である。
【発明の効果】
【０００８】
本発明による携帯電話によれば、ヒータ、圧電素子部、超音波加振部が備えられる香水噴射装置を通じて香水を噴射するので、噴射される香水量の微細な制御が可能であり、噴射される香水の粒子サイズが均一になる。
また、本発明による携帯電話によれば、別途の開閉機構なしに香水の噴射が可能であり、香水噴射の駆動メカニズムが簡単である。
また、本発明による携帯電話によれば、香水噴射部分を小型化させつつ多様な香水を噴射できる。
【発明を実施するための最良の形態】
【０００９】
以下、添付された図面を参照しつつ、本発明の望ましい実施形態による香水噴射装置が備えられた携帯電話を詳細に説明する。以下の図面で、同じ参照符号は同じ構成要素を示す。
【００１０】
図１は、本発明による香水噴射装置が備えられた携帯電話を示す前面斜視図であり、図２は、本発明による携帯電話の背面図である。
図１及び図２に示すように、本発明による携帯電話１は、香水噴射装置１０を備え、背面部には、電源となるバッテリーパック２を備える。前記香水噴射装置１０は、制御部から入力される信号によって香水を前記携帯電話１の外部に噴射するための装置である。前記香水噴射装置１０は、秀麗な美観創出のために、前記携帯電話１の内部に位置し、前記バッテリーパック２により外部と遮断されることが望ましい。
【００１１】
図３は、本発明による香水噴射装置の構成を示す図面であり、図４は、本発明の他の実施形態による香水噴射装置の構成を示す図面である。
図３及び図４に示すように、本発明による香水噴射装置１０は、カートリッジ１１、前記カートリッジ１１の内部に形成される香水保存部１２、前記香水保存部１２の側方から延びる香水通路１３、及び前記香水通路１３と連結されている香水噴射部２０を備える。前記香水噴射部２０は、電気的接点１４を通じてドライバー１５及びマイコン１６と連結され、前記マイコン１６は、音声分析部１７と連結されている。
【００１２】
前記カートリッジ１１は、内部に前記香水噴射装置１０の各種の付属品が収容されて、前記カートリッジ１１の単位で交換可能にすることによって、修理、香水の補充などのための交換を容易にする。ここで、前記カートリッジ１１には、前記香水保存部１２が収容されうるが、このような場合、前記香水保存部１２に収容されている香水が消尽して補充されねばならないとき、前記カートリッジ１１自体を着脱式に交換すればよい。したがって、前記香水保存部１２の交換が容易であるので、ユーザーが香水の種類を変更しようとするか、または消尽した香水を補充することが容易になる。そして、前記カートリッジ１１には、前記香水保存部１２及び前記香水噴射部２０がいずれも収容されうるが、このような場合、前記香水噴射部２０内の部品の修理、交換が容易になる。
【００１３】
前記香水保存部１２は、内部に香水が収容される空間であって、前記香水通路１３と連結されている。前記香水通路１３は、前記香水保存部１２に収容されている香水が前記香水噴射部２０に供給される通路となる。
【００１４】
前記香水噴射部２０は、入力される信号によって香水を噴射する部分であって、前記香水通路１３と連結されているチャンバ２１、前記チャンバ２１内の香水が噴射される通路であるノズル２２、及び前記チャンバ２１内の香水を噴射させる圧力を提供する噴射圧発生部２３を備える。そして、前記香水噴射部２０は、小型化されねばならないので、シリコンウェーハを使用して半導体製造工程により製作されることが望ましい。
【００１５】
前記チャンバ２１は、前記香水保存部１２から流入される香水が収容される空間であり、前記ノズル２２は、前記チャンバ２１に保存された香水が前記噴射圧発生部２３により発生した噴射圧により外部に噴射される通路となる。
【００１６】
前記噴射圧発生部２３は、前記チャンバ２１に収容されている香水に対して噴射圧を発生させる部分であって、ヒータ、圧電素子部または超音波加振部の構造で形成されうる。
【００１７】
前記噴射圧発生部２３が前記ヒータである場合、前記ヒータは、前記チャンバ２１の内部に含まれている香水を加熱させる役割を行う。前記ヒータにより加熱された香水の内部には、バブルが形成されるが、前記バブルの膨脹圧力により香水が前記ノズル２２を通じて外部に噴射される。
【００１８】
前記噴射圧発生部２３が前記圧電素子である場合、前記圧電素子は、圧電気現象により前記チャンバ２１の内部に含まれている香水に噴射圧を加える役割を行う。ここで、圧電気現象とは、ある種類の結晶板に一定の方向で圧力を加えれば、板の両面に外力に比例する正・負の電荷が表れる現象をいい、前記圧電素子は、前記圧電気現象を表す素子であって、ピエゾ電気素子ともいう。水晶、電気石、ロシェル塩などがかつて圧電素子として利用され、チタン酸バリウム、リン酸二水素アンモニウム、酒石酸エチレンジアミンなどの人工結晶も圧電性にすぐれる。
前記圧電気現象を利用すれば、電気的エネルギーを力学的エネルギーに、圧力を電気的信号に転換できる。したがって、圧電素子である前記噴射圧発生部２３に電気的な作動信号が流入されれば、前記圧電素子が前記電気的な作動信号を圧力に転換させて、前記チャンバ２１内に収容されている香水に対する噴射圧が発生する。
【００１９】
前記噴射圧発生部２３が前記超音波加振部である場合、前記超音波加振部は、振動を発生させることによって、前記チャンバ２１に収容されている香水に噴射圧を発生させる役割を行う。超音波は、２０ＫＨｚ以上の周波数を有した、すなわち人の可聴能力以上の周波数を有した音波をいうが、周波数が高くて波長が短いため非常に強い振動が発生するので、物質を振動させる力が強いという特徴がある。前記超音波加振部に電気的な作動信号が加えられれば、振動が発生して前記チャンバ２１の内部に収容されている香水が微細な粒子状に変形される。前記のような香水粒子は、前記ノズル２２を通じて外部に噴射される。
【００２０】
前記のように、ヒータ、圧電素子部、超音波加振部が前記噴射圧発生部２３として備えられる香水噴射装置１０を通じて前記チャンバ２１内の香水が噴射されるので、噴射される香水量の微細な制御が可能であり、噴射される香水の粒子サイズが均一になる。そして、別途の開閉機構が使われる必要がなく、香水噴射の構造が簡単なメカニズムによるので、前記香水噴射装置１０の小型化が可能である。
【００２１】
前記マイコン１６は、前記携帯電話１の動作によって相応する制御信号を発生させ、前記ドライバー１５は、前記制御信号に相応する作動信号を発生させる。そして、前記マイク１８は、ユーザーの音声、ユーザー周辺のノイズなどを電気的信号に変換させるが、前記マイク１８で変換された信号は、前記音声分析部１７に伝達されて分析される。
【００２２】
ここで、図４に示すように、前記香水噴射装置１０は、前記香水保存部１２、前記香水通路１３、前記電気的接点１４、及び前記香水噴射部２０が複数個備えられうる。前記のような構成によれば、前記香水保存部１２それぞれは、異なる種類の香水を収容でき、前記香水保存部１２と連結された前記香水噴射部２０それぞれは、異なる種類の香水を噴射できる。したがって、香水それぞれの噴射如何及び噴射量を制御して組み合わせることによって、多様な種類の香水噴射が可能である。
【００２３】
以下で、本発明による携帯電話１の作動について説明する。
まず、前記携帯電話１が一定の動作を行えば、前記動作に相応する制御信号が前記マイコン１６で発生する。前記制御信号は、前記ドライバー１５に伝達され、前記ドライバー１５で作動信号に転換される。そして、前記作動信号は、前記電気的接点１４を通じて前記噴射圧発生部２３に伝達される。
【００２４】
前記チャンバ２１には、前記香水保存部１２から香水が流入されて内部に収容され、前記作動信号を受けた前記噴射圧発生部２３は、前記香水に対する噴射圧を発生させる。この際、前記噴射圧発生部２３が前記ヒータである場合、前記ヒータは、前記チャンバ２１の内部に含まれている香水を加熱させて、前記香水の内部にバブルを形成することによって噴射圧を発生させる。そして、前記噴射圧発生部２３が前記圧電素子である場合、前記圧電素子は、圧電気現象により電気的な作動信号を圧力エネルギーに転換させて、噴射圧を発生させる。また、前記噴射圧発生部２３が前記超音波加振部である場合、前記超音波加振部は、振動を発生させて前記チャンバ２１の内部に収容されている香水が前記ノズル２２を通じて外部に噴射可能に、微細な粒子状に変形させる。
前記のように、前記噴射圧発生部２３により前記チャンバ２１の内部に収容されている香水に対する噴射圧が発生すれば、前記噴射圧により前記ノズル２２を通じて前記携帯電話１の外部に香水が噴射される。
【００２５】
本発明による香水噴射装置１０が備えられる携帯電話１によれば、噴射される香水量の微細な制御が可能であり、噴射のための駆動メカニズムが簡単であるので小型化できる。このような長所を利用して、前記携帯電話１に対する多様な応用が可能であるが、以下で応用例について説明する。しかし、後述する応用例は、本発明による香水噴射装置１０が適用可能な部分についての例示であり、その他にも多様な応用が可能であるということを明らかにする。
【００２６】
前記携帯電話１に対する第１応用例であって、前記携帯電話１の使用時、ユーザーの音声変化によって前記香水噴射部２０で前記音声変化に対応して適した香水が噴射可能な応用例が提案されうる。すなわち、通話中に前記携帯電話１のユーザーの音声が増加または減少すれば、前記音声分析部１７で前記音声変化を分析して、前記マイコン１６に分析結果を伝達する。これにより、信号を受けた前記マイコン１６は、前記音声変化に対応して適した制御信号を送出して、前記ドライバー１５を通じて前記香水噴射装置１０で適した香水を噴射させる。このような応用例は、ユーザーの音声変化以外にも、ユーザー周辺のノイズの種類またはノイズ量の変化についても同一に適用されうる。
【００２７】
前記携帯電話１に対する第２応用例であって、前記携帯電話１のユーザーが通話している相手に対応して適した香水が噴射可能な応用例が提案されうる。すなわち、ユーザーが特定人の番号に電話をかけるか、または特定人が前記携帯電話１のユーザーに電話をかけるとき、一般的に前記マイコン１６で通話相手を認識して画面に前記通話相手についての情報をディスプレイする。この際、前記マイコン１６は、予め保存されていた特定人についての香水情報と前記認識された通話相手とを比較して、前記通話相手に対応する適した香水に対する噴射制御信号を送出する。これにより、前記ドライバー１５を通じて前記香水噴射装置１０で前記噴射制御信号に対応する香水が噴射されるので、通話相手ごとに異なる香水が噴射されうる。
【００２８】
前記携帯電話１に対する第３応用例であって、前記携帯電話１の所有者に対するカスタマイジングを通じて前記所有者の個性、嗜好に適した香水を噴射できる。すなわち、前記携帯電話１の所有者の直接操作により、または前記所有者の通話習慣などを前記マイコン１６が分析して適した制御信号を送出することによって、前記香水噴射装置１０から噴射される香水の種類または噴射量が前記所有者の個性、嗜好に適するように調節される。
【００２９】
本発明は、図面に示した実施形態を参考に説明されたが、これは例示的なものに過ぎず、当業者であれば、これから多様な変形及び均等な他の実施形態が可能であるという点を理解できるであろう。したがって、本発明の真の技術的な保護範囲は、特許請求の範囲により決まらねばならない。
【産業上の利用可能性】
【００３０】
本発明は、携帯電話に関連の技術分野に適用可能である。
【図面の簡単な説明】
【００３１】
【図１】本発明による香水噴射装置が備えられた携帯電話を示す前面斜視図である。
【図２】本発明による携帯電話の背面図である。
【図３】本発明による香水噴射装置の構成を示す図面である。
【図４】本発明の他の実施形態による香水噴射装置の構成を示す図面である。
【符号の説明】
【００３２】
１０  香水噴射装置
１１  カートリッジ
１２  香水保存部
１３  香水通路
１４  電気的接点
１５  ドライバー
１６  マイコン
１７  音声分析部
１８  マイク
２０  香水噴射部
２１  チャンバ
２２  ノズル
２３  噴射圧発生部
【図１】
2006094506.tif 000003
【図２】
2006094506.tif 000004
【図３】
2006094506.tif 000005
【図４】
2006094506.tif 000006